(57)【要約】      （修正有）【課題】コーンバーにおける表示変更を、簡素な構成によって実現する。【解決手段】コーン状の支柱２間に架け渡されて用いられるコーンバー１であって、両端部に前記支柱２に掛け止めされる係合部材３が装着されたバー本体４と、このバー本体にその長さ方向に相対移動可能に被嵌された外筒５とからなり、バー本体には、所定幅を有し、異なる表示が施された複数の表示領域が、所定の順序で繰り返し設けられ、外筒には、表示領域と略同一の幅を有する光透過領域が、複数の表示領域の全幅に相当するピッチで形成され、かつ、外筒の光透過領域以外の部位が遮光領域となされていることを特徴とする。【選択図】図１
2017180031.tif 000002
【特許請求の範囲】
【請求項１】
コーン状の支柱間に架け渡されて用いられるコーンバーであって、両端部に前記支柱に掛け止めされる係合部材が装着されたバー本体と、このバー本体にその長さ方向に相対移動可能に被嵌された外筒とからなり、前記バー本体には、所定幅を有し、異なる表示が施された複数の表示領域が、所定の順序で繰り返し設けられ、前記外筒には、前記表示領域と略同一の幅を有する光透過領域が、前記複数の表示領域の全幅に相当するピッチで形成され、かつ、前記外筒の前記光透過領域以外の部位が遮光領域となされていることを特徴とするコーンバー。
【請求項２】
前記バー本体と前記外筒との間に、前記外筒の位置を、前記光透過領域が前記複数の表示領域のそれぞれに重畳させられる位置に係止する係止手段が設けられていることを特徴とする請求項１に記載のコーンバー。
【請求項３】
前記係止手段が、前記バー本体と前記外筒の何れか一方に設けられ、これらの径方向に弾性的に移動可能に形成された突起と、他方に設けられ、前記突起が係合させられる凹部とによって構成され、前記凹部が、前記複数の表示領域のピッチで複数設けられていることを特徴とする請求項２に記載のコーンバー。
【請求項４】
前記係止手段が、前記バー本体外周に形成された雄ねじと、前記外筒の内周に形成された雌ねじとによって構成されていることを特徴とする請求項２に記載のコーンバー。
【請求項５】
前記係止手段が、前記バー本体と前記外筒の何れか一方に設けられた磁石と、他方に設けられた磁石若しくは磁性体によって構成されていることを特徴とする請求項２に記載のコーンバー。
【請求項６】
前記係止手段が、前記外筒の周壁の一部に形成された蛇腹によって構成されていることを特徴とする請求項２に記載のコーンバー。
【請求項７】
前記係止手段が、前記外筒と前記バー本体との間に介装された摩擦部材によって構成されていることを特徴とする請求項２に記載のコーンバー。
【発明の詳細な説明】
【技術分野】
【０００１】
本発明は、たとえば、カラーコーン（登録商標、以下同様）のようなコーン型支柱間に架け渡されて使用されるコーンバーに関するものである。
【背景技術】
【０００２】
道路や工事現場、あるいは、イベント会場等においては、通路や資材置き場、あるいは、危険区域等の特別な領域を区画する際に、カラーコーンと称されるコーン型支柱が用いられている。
【０００３】
このコーン型支柱は、前記領域を取り囲むように複数設置されることによって、前記領域を告知するようになっている。
しかしながら、この前記領域を前記コーン型支柱によって完全に区画するには、多数のコーン型支柱が必要となり、その設置作業や撤去作業が繁雑なものとなる。
【０００４】
そこで、従来では、前記コーン型支柱を間隔をおいて設置し、これらのコーン型支柱にコーンバーを架け渡して、前記コーン型支柱間の空間を、前記コーンバーによって仕切ることにより、前記コーン型支柱の必要数を軽減するようにしている。
【０００５】
ところで、前述した特定領域が複数あり、これらの領域の区別を認識させる必要が生じる場合があり、このような、用途に適する従来技術が、たとえば、特許文献１において示されている。
【０００６】
この従来技術は、複数のコーン型支柱間に架け渡されたコーンバー内に、ＬＥＤ等によって光を照射し、この光を、前記コーンバー内に設置された反射部材によってコーンバー外に照射するようにしたものである。
【０００７】
そして、前記コーンバー内に照射される光を変化させることにより、告知する内容を変化させるようにしている。
このような技術を用いて、複数の異なる領域毎に告知内容を変化させて、複数の領域の差別化を行なうことができる。
【先行技術文献】
【特許文献】
【０００８】
【特許文献１】特開２０１６−１７３６５号公報
【発明の概要】
【発明が解決しようとする課題】
【０００９】
このような従来技術によって、複数の領域間の区別を容易に行なうことができるようになったが、なお、つぎのような改善すべき問題点が残されている。
【００１０】
すなわち、表示に光を用いることから、この光を生成するために、ＬＥＤ等の発光部材や、この発光部材を駆動するための電源、さらに、これらの制御を行なうコントローラーといった多くの機器を必要とする。
【００１１】
この結果、構造が複雑になるばかりでなく、設置コストの高騰を招いてしまうといった問題が生じる。
【００１２】
本発明は、前述した従来の問題点に鑑みてなされたもので、簡素な構造によって複数種の表示を行なうことのできるコーンバーを提供することを解決課題とする。
【課題を解決するための手段】
【００１３】
本発明のコーンバーは、前述した課題を解決するために、両端部にコーン型支柱に掛け止めされる係合部材が装着されたバー本体と、このバー本体にその長さ方向に相対移動可能に被嵌された外筒とからなり、前記バー本体には、所定幅を有し、異なる表示が施された複数の表示領域が、所定の順序で繰り返し設けられ、前記外筒には、前記表示領域と略同一の幅を有する光透過領域が、前記複数の表示領域の全幅に相当するピッチで形成され、かつ、前記外筒の前記光透過領域以外の部位が遮光領域となされていることを特徴としている。
【００１４】
本発明のコーンバーでは、複数の前記コーン型支柱を、間隔をおいて設置し、これらのコーン型支柱間に前記コーンバーを架け渡すことにより、領域を区画する。
【００１５】
ここで、前記外筒を前記バー本体の長さ方向に移動させることにより、前記外筒に形成されている前記光透過領域を、前記バー本体に設けられている複数の表示領域の一つに重畳させる。
【００１６】
これによって、前記光透過領域が重畳させられた前記一つの表示領域は、前記光透過領域を通して視認される、その他の前記表示領域は、前記外筒の前記遮光領域によって隠される。
したがって、前記一つの表示領域に施された表示による告知を行なうことができる。
【００１７】
一方、表示を変更するには、前記外筒を前記バー本体の長さ方向に移動させて、前記外筒に形成されている前記光透過領域を、前記バー本体に設けられている他の表示領域に重畳させる。
【００１８】
これによって、他の表示領域に施されている異なる表示が、前記光透過領域を通して視認され、異なる表示による告知を行なうことができる。
【００１９】
このように、本発明のコーンバーによれば、前記外筒を前記バー本体に対して、その長さ方向に移動させるのみで、その表示を変更することができる。
【００２０】
そして、表示の変更に用いられる部材が、前記バー本体と前記外筒の２部材ですむことから、その構成を極めて簡素な構成とすることができる。
【００２１】
しかも、前記バー本体の前記表示領域は、たとえば、塗装もしくは印刷といった単純な作業によって設けることができ、また、前記外筒に形成される前記光透過領域と遮光領域は、前記外筒に透明な材料を用い、前記遮光領域に相当する部位を、遮光性のある塗料や粘着テープによって覆うことにより簡便に形成することができる。
【００２２】
このように、本発明のコーンバーにおいては、構成部材が少なく、かつ、簡素な加工により製造することができるので、領域を区画する際の施工コストを抑制することができる。
【００２３】
一方、前記バー本体と前記外筒との間に、前記外筒の位置を、前記光透過領域が前記複数の表示領域のそれぞれに重畳させられる位置に係止する係止手段を設けることが好ましい。
【００２４】
このような構成とすることにより、前記外筒の、前記バー本体に対する移動を拘束して、表示が不用意に変更されてしまうことを防止することができる。
【００２５】
前記係止手段は、前記バー本体と前記外筒の何れか一方に設けられ、これらの径方向に弾性的に移動可能に形成された突起と、他方に設けられ、前記突起が係合させられる凹部とによって構成することができる。
【００２６】
あるいは、前記バー本体外周に形成された雄ねじと、前記外筒の内周に形成された雌ねじとによって構成することもでき、また、前記バー本体と前記外筒の何れか一方に設けられた磁石と、他方に設けられた磁石若しくは磁性体によって構成することもできる。
【００２７】
さらに、前記係止手段を、前記外筒の周壁の一部に形成された蛇腹によって構成してもよく、また、前記外筒と前記バー本体との間に摩擦部材を介装して、その摩擦を利用した構成とすることもできる。
【発明の効果】
【００２８】
本発明のコーンバーによれば、このコーンバーにおける表示変更を、簡素な構成によって実現することができる。
【図面の簡単な説明】
【００２９】
【図１】本発明の第１の実施形態を示すもので、使用状態を示す外観斜視図である。
【図２】本発明の第１の実施形態を示す分解図である。
【図３】本発明の第１の実施形態の作用を説明するための側面図である。
【図４】本発明の第１の実施形態の作用を説明するための側面図である。
【図５】本発明の第１の実施形態を示す要部の平面図である。
【図６】本発明の第１の実施形態を示すもので、図５のＶＩ−ＶＩ線断面図である。
【図７】本発明の第２の実施形態を示すもので、図６と同様の断面図である。
【図８】本発明の第３の実施形態を示すもので、図６と同様の断面図である。
【発明を実施するための形態】
【００３０】
以下、本発明の一実施形態について、図１ないし図６を参照して説明する。
これらの図において符号１は、本実施形態におけるコーンバーを示し、このコーンバー１は、両端部にコーン型支柱２に掛け止めされる係合部材３が装着されたバー本体４と、このバー本体４にその長さ方向に相対移動可能に被嵌された外筒５とによって構成されている。
【００３１】
そして、前記バー本体４の表面には、図２に示すように、所定幅Ｗを有し、異なる表示が施された二つの表示領域Ａ（Ａ１・Ａ２）が、前記バー本体４の長さ方向に連続して交互に設けられている。
【００３２】
また、前記外筒５には、図２に示すように、前記表示領域と略同一の幅Ｗを有する光透過領域Ｄが、前記複数の表示領域の全幅に相当するピッチ（２Ｗ）で形成され、かつ、前記外筒５の前記光透過領域Ｄ以外の部位が遮光領域Ｅとなされている。
【００３３】
本実施形態においては、前記外筒５を透明樹脂によって形成し、前記遮光領域Ｅに相当する部分に黒色塗料を塗布することにより、この遮光領域Ｅ間に、前記光透過領域Ｄを形成してある。
【００３４】
そして、前記バー本体４に設けられる各表示領域Ａ１・Ａ２は、たとえば、赤色塗料や黄色塗料を塗布することによって設けられる。
【００３５】
また、本実施形態においては、図５および図６に示すように、前記バー本体４の外面で、前記両表示領域Ａ１・Ａ２の境界部分に周溝４ａが全周にわたって形成されている。
【００３６】
一方、前記外筒５には、図５および図６に示すように、その周壁の一部に略コ字状の切り込み５ａを入れることによって、前記外筒５に連続した片持ち状の弾性片６が形成されている。
【００３７】
そして、前記弾性片６の自由端部で、前記外筒５の内側には、この外筒５の内面よりも内側に突出する球殻状の突起７が形成されている。
【００３８】
この突起７は、前記外筒５の前記光透過領域Ａの一つに重畳させられた状態において、前記バー本体４に形成されている前記周溝４ａに、前記弾性片６の弾性によって係合させられるようになっている。
【００３９】
また、前記突起７と前記周溝４ａとの係合は、前記外筒５と前記バー本体４に、これらをその長さ方向逆方向に相対移動させるような外力を意図的に加えた際に、前記弾性片６が外方へ向けて弾性変形させられて、前記突起７が前記周溝４ａから離脱することにより開放される。
【００４０】
そして、前述したように、前記突起７を前記周溝４ａから離脱させた状態で、前記バー本体４の長さ方向に対する前記外筒５の位置調整を行なうことができる。
【００４１】
このように構成された本実施形態に係わるコーンバー１は、図２に矢印（イ）で示すように、前記外筒５内に前記バー本体４を挿入して、その両端部を前記外筒５の両端部から突出させておき、ついで、図２に矢印（ロ）で示すように、前記バー本体４の各端部に前記係合部材３を取り付けることによって組み上げられる。
【００４２】
そして、使用にあたっては、前記外筒５を前記バー本体４の長さ方向に沿って相対移動させて、前記外筒５の前記光透過領域Ｄを、前記バー本体４の表示領域Ａ１（Ａ２）を選択して対峙させる。
【００４３】
このように前記光透過領域Ｄを前記表示領域Ａ１（Ａ２）に対峙させると、前記外筒５に形成されて、前記弾性片６によって内側へ付勢されている前記突起７が、前記バー本体４に形成されている前記周溝４ａへ係合させられる。
【００４４】
これによって、前記バー本体４と前記外筒５とが固定され、かつ、選択された前記表示領域Ａ１（Ａ２）が、前記外筒５の前記光透過領域Ｄを経て外部へ露出される。
【００４５】
図３に、前記表示領域Ａ２が選択された状態を、また、図４に、前記表示領域Ａ１が選択された状態をそれぞれ示す。
【００４６】
図３に示す状態では、コーンバー１全体として、黒色と黄色の縞模様が形成され、図４に示す状態では、黒色と赤色の縞模様が形成される。
【００４７】
このように表示形態が設定された前記コーンバー１は、複数の前記コーン型支柱２を間隔をおいて設置し、これらのコーン型支柱２の上部に前記各係合部材３を被せるように係合させることにより、前記コーン型支柱２間に架け渡されて領域の区画に用いられる。
【００４８】
ここで、他の領域の区画を行ない、かつ、その区画の使用目的が異なる場合にあっては、この領域に設置される前記コーンバー１の表示を変更して用いる。
【００４９】
このような表示の変更は、前記外筒５を前記バー本体４の長さ方向に強制的に移動させて、前記外筒５の光透過領域Ｄが重畳させられる前記表示領域Ａを変更することによって行なうことができる。
【００５０】
このように、本発明のコーンバー１によれば、前記外筒５を前記バー本体４に対して、その長さ方向に移動させるのみで、その表示を変更することができる。
【００５１】
そして、表示の変更に用いられる部材が、前記バー本体４と前記外筒５の２部材ですむことから、その構成を極めて簡素な構成とすることができる。
【００５２】
しかも、前記バー本体４の前記表示領域Ａは、たとえば、塗装もしくは印刷といった単純な作業によって設けることができ、また、前記外筒５に形成される前記光透過領域Ｄと遮光領域Ｅは、前記外筒５に透明な材料を用い、前記遮光領域Ｅに相当する部位を、遮光性のある塗料や粘着テープによって覆うことにより簡便に形成することができる。
【００５３】
このように、本発明のコーンバー１は、構成部材が少なく、かつ、簡素な加工により製造することができるので、領域を区画する際の施工コストを抑制することができる。
【００５４】
また、本実施形態においては、前記周溝４ａと前記突起７との係合により、前記外筒５の、前記バー本体４に対する移動を拘束していることにより、表示が不用意に変更されてしまうことを防止することができる。
【００５５】
なお、前記実施形態において示した各構成部材の諸形状や寸法等は一例であって、設計要求等に基づき種々変更可能である。
【００５６】
たとえば、前記表示領域Ａの数は任意であり、また、その表示の種類も、色、文字、あるいは、図形等が用いられる。
【００５７】
また、前記光透過領域Ｄは、前記外筒５を非透明材料によって形成し、前記光透過領域Ｄに対応する位置に窓を形成することによっても設けることができる。
【００５８】
一方、前記バー本体４と前記外筒５とを係止する方法として、図７に示すように、前記バー本体４と前記外筒５の何れか一方に磁石８を設け、他方に磁石若しくは磁性体９を設けておき、これらの吸着によって係止することも可能であり、また、図８に示すように、前記バー本体４の外周に雄ねじ１０を形成しておき、前記外筒５内周に雌ねじ１１を形成しておき、これらを螺着することによって係止する構成とすることもできる。
【００５９】
さらに、前記バー本体４と前記外筒５との間に摩擦部材を介装しておき、この摩擦部材の摩擦によって両者の不用意な相対移動を拘束するようにしてもよく、前記外筒５の一端部を前記バー本体４に固定する構成とするとともに、前記外筒５のその固定部近傍を長さ方向に伸縮可能な蛇腹構造とすることによっても、前記外筒５を前記バー本体４の任意の位置に保持することができる。
【符号の説明】
【００６０】
１  コーンバー
２  コーン型支柱
３  係合部材
４  バー本体
４ａ  周溝
５  外筒
５ａ  切り込み
６  弾性片
７  突起
８  磁石
９  磁石若しくは磁性体
１０  雄ねじ
１１  雌ねじ
Ａ  表示領域
Ｄ  光透過領域
Ｅ  遮光領域
Ｗ  （表示領域の）幅
【図１】
2017180031.tif 000003
【図２】
2017180031.tif 000004
【図３】
2017180031.tif 000005
【図４】
2017180031.tif 000006
【図５】
2017180031.tif 000007
【図６】
2017180031.tif 000008
【図７】
2017180031.tif 000009
【図８】
2017180031.tif 000010